(57)【要約】【課題】本発明は、送受信アンテナ及び受信アンテナを備える無線基地局において、受信ウェイトベクトルのみならずに送信ウェイトベクトルも適切に算出することができる。【解決手段】無線基地局１００は、送受信アンテナのそれぞれが受信した信号の受信レベルの中から、最も大きい受信レベルを第１最大受信レベルとして選択する。無線基地局１００は、第１最大受信レベルを最適レベル範囲内に調整し、第１最大受信レベルから最適レベル範囲内への調整の度合いに応じて第１最大受信レベル以外の他の受信レベルを調整する。【選択図】図２
2007251377.tif 000002
【特許請求の範囲】
【請求項１】
信号の送信及び受信に用いられる送受信アンテナと、信号の受信にのみ用いられる受信アンテナとを複数備え、信号の送受信を端末装置と実行するアダプティブアレイ処理部を備える無線基地局であって、
前記アダプティブアレイ処理部は、前記送受信アンテナ及び前記受信アンテナのそれぞれが受信した信号を用いて、受信ウェイトベクトルを算出する受信処理と、前記送受信アンテナのそれぞれが受信した信号を用いて、送信ウェイトベクトルを算出する送信処理とを実行し、
前記送受信アンテナのそれぞれが受信した信号の受信レベルの中から、最も大きい受信レベルを第１最大受信レベルとして選択する第１選択部と、
前記受信ウェイトベクトル及び前記送信ウェイトベクトルを適切に算出し得る受信レベルの範囲である最適レベル範囲内に、前記第１最大受信レベルを調整する最大受信レベル調整部と、
前記第１最大受信レベルから前記最適レベル範囲内への調整の度合いに応じて、前記第１最大受信レベル以外の他の受信レベルを調整する他受信レベル調整部と
を備えることを特徴とする無線基地局。 
【請求項２】
前記受信アンテナのそれぞれが受信した信号の受信レベルのうち、最も大きい受信レベルを第２最大受信レベルとして選択する第２選択部を備え、
前記最適レベル範囲は、前記受信ウェイトベクトル及び前記送信ウェイトベクトルを最も適切に算出し得る受信レベルを示す最適レベルを含んでおり、
前記最大受信レベル調整部は、前記第１最大受信レベルを前記最適レベル範囲内で変化させ、
前記他受信レベル調整部は、前記第１最大受信レベルの変化の度合いに応じて、前記第２最大受信レベルを前記最適レベルに近づけることを特徴とする請求項１に記載の無線基地局。
【請求項３】
信号の送信及び受信に用いられる送受信アンテナと、信号の受信にのみ用いられる受信アンテナとを複数備え、信号の送受信を端末装置と実行する無線基地局において動作する受信レベル調整方法であって、
前記送受信アンテナのそれぞれが受信した信号の受信レベルの中から、最も大きい受信レベルを第１最大受信レベルとして選択する第１ステップと、
受信ウェイトベクトル及び送信ウェイトベクトルを適切に算出し得る受信レベルの範囲である最適レベル範囲内に、前記第１最大受信レベルを調整する第２ステップと、
前記第１最大受信レベルから前記最適レベル範囲内への調整の度合いに応じて、前記第１最大受信レベル以外の他の受信レベルを調整する第３ステップと
を備えることを特徴とする受信レベル調整方法。 
【請求項４】
前記受信アンテナのそれぞれが受信した信号の受信レベルのうち、最も大きい受信レベルを第２最大受信レベルとして選択する第４ステップを備え、
前記最適レベル範囲は、前記受信ウェイトベクトル及び前記送信ウェイトベクトルを最も適切に算出し得る受信レベルを示す最適レベルを含んでおり、
前記第２ステップでは、前記第１最大受信レベルを前記最適レベル範囲内で変化させ、
前記第３ステップでは、前記第１最大受信レベルの変化の度合いに応じて、前記第２最大受信レベルを前記最適レベルに近づけることを特徴とする請求項３に記載の受信レベル調整方法。
【請求項５】
信号の送信及び受信に用いられる送受信アンテナと、信号の受信にのみ用いられる受信アンテナとを複数備え、信号の送受信を端末装置と実行する無線基地局において動作する受信レベル調整プログラムであって、
コンピュータに、
前記送受信アンテナのそれぞれが受信した信号の受信レベルの中から、最も大きい受信レベルを第１最大受信レベルとして選択する第１ステップと、
受信ウェイトベクトル及び送信ウェイトベクトルを適切に算出し得る受信レベルの範囲である最適レベル範囲内に、前記第１最大受信レベルを調整する第２ステップと、
前記第１最大受信レベルから前記最適レベル範囲内への調整の度合いに応じて、前記第１最大受信レベル以外の他の受信レベルを調整する第３ステップと
を実行させることを特徴とする受信レベル調整プログラム。 
【請求項６】
前記受信アンテナのそれぞれが受信した信号の受信レベルのうち、最も大きい受信レベルを第２最大受信レベルとして選択する第４ステップを備え、
前記最適レベル範囲は、前記受信ウェイトベクトル及び前記送信ウェイトベクトルを最も適切に算出し得る受信レベルを示す最適レベルを含んでおり、
前記第２ステップでは、前記第１最大受信レベルを前記最適レベル範囲内で変化させ、
前記第３ステップでは、前記第１最大受信レベルの変化の度合いに応じて、前記第２最大受信レベルを前記最適レベルに近づけることを特徴とする請求項５に記載の受信レベル調整プログラム。
【発明の詳細な説明】
【技術分野】
【０００１】
本発明は、送受信アンテナと受信アンテナとを備え、アダプティブアレイ処理により信号の送受信を端末装置と実行する無線基地局、無線基地局において動作する受信レベル調整方法及び受信レベル調整プログラムに関する。
【背景技術】
【０００２】
従来からの無線基地局の中には、信号の送信及び受信に用いられる送受信アンテナと、信号の受信のみに用いられる受信アンテナとを備え、アダプティブアレイ処理により信号の送受信を端末装置と実行する無線基地局が存在する（例えば、特許文献１参照）。
【０００３】
例えば、アダプティブアレイ処理は、上記「送受信アンテナ及び受信アンテナ」のそれぞれが受信した信号を用いて、端末装置が送信した信号を受信する「送受信アンテナ及び受信アンテナ」の指向性の制御に用いられる受信ウェイトベクトルを算出する受信処理と、上記「送受信アンテナ」が受信した信号を用いて、端末装置に向けて信号を送信する「送受信アンテナ」の指向性の制御に用いられる送信ウェイトベクトルを算出する送信処理とを有している。
【０００４】
上記無線基地局は、「受信アンテナ」が受信した信号を用いるだけではなく、「送受信アンテナ」が受信した信号も用いることができるため、受信ウェイトベクトルを適切に算出することができる。
【０００５】
具体的には、無線基地局は、「送受信アンテナ及び受信アンテナ」のそれぞれが受信した信号の受信レベルの中から、最大受信レベルを選択する。そして、無線基地局は、選択した最大受信レベルを最適レベルに調整するとともに、最大受信レベルから最適レベルへの調整の度合いに応じて当該最大受信レベル以外の受信レベルも調整する。
【０００６】
上記最適レベルとは、受信ウェイトベクトル及び送信ウェイトベクトルを適切に算出し得る受信レベルである。なお、最大受信レベル及びそれ以外の受信レベルを調整する処理をレベル調整処理として以下表現する。
【０００７】
これにより、無線基地局は、レベル調整処理において、「送受信アンテナ及び受信アンテナ」の全てを用いて、受信ウェイトベクトルをより適切に算出することができる。
【０００８】
また、無線基地局は、レベル調整処理後の「送受信アンテナ」に対応する受信レベルを有効活用するために、受信ウェイトベクトルを算出するときに当該受信レベルを用いるだけではなく、送信ウェイトベクトルを算出するときにも用いている。
【特許文献１】特開２００５−３１１７４０号公報
【発明の開示】
【発明が解決しようとする課題】
【０００９】
しかしながら、上記無線基地局は、レベル調整処理後の「送受信アンテナ」に対応する受信レベルを用いて送信ウェイトベクトルを適切に算出することができない場合があった。
【００１０】
すなわち、上述のように無線基地局は、受信ウェイトベクトルをより適切に算出して受信性能を向上させるために、信号の受信では複数のアンテナ（「送受信アンテナ」、「受信アンテナ」）の全てを用いる一方で、信号の送信では当該複数のアンテナの中の一部のアンテナ（「送受信アンテナ」）を用いる場合がある。
【００１１】
この場合にも、無線基地局は、レベル調整処理において、「送信アンテナ」及び「受信アンテナ」のそれぞれが受信した信号の受信レベルのうちの最大受信レベルを最適レベルに調整し、最大受信レベルから最適レベルへの調整の度合いに応じて最大受信レベル以外の他の受信レベルを調整している。
【００１２】
このため、「受信アンテナ」が受信した信号の受信レベルが最適レベルに調整される一方で、「送受信アンテナ」が受信した信号の受信レベルが最適レベルから大きくずれたレベルに調整される場合がある。この場合には、無線基地局は、調整した受信レベルを用いて送信ウェイトベクトルを適切に算出することができない。
【００１３】
そこで、本発明は以上の点に鑑みて成されたものであり、送受信アンテナ及び受信アンテナを備える無線基地局において、受信ウェイトベクトルのみならずに送信ウェイトベクトルも適切に算出することができる無線基地局、無線基地局において動作する受信レベル調整方法及び受信レベル調整プログラムを提供することを目的とする。
【課題を解決するための手段】
【００１４】
上記課題を解決するために、本発明の第１の特徴は、信号の送信及び受信に用いられる送受信アンテナと、信号の受信にのみ用いられる受信アンテナとを複数備え、信号の送受信を端末装置と実行するアダプティブアレイ処理部を備える無線基地局であって、前記アダプティブアレイ処理部は、前記送受信アンテナ及び前記受信アンテナのそれぞれが受信した信号を用いて、受信ウェイトベクトルを算出する受信処理と、前記送受信アンテナのそれぞれが受信した信号を用いて、送信ウェイトベクトルを算出する送信処理とを実行し、前記送受信アンテナのそれぞれが受信した信号の受信レベルの中から、最も大きい受信レベルを第１最大受信レベルとして選択する第１選択部と、前記受信ウェイトベクトル及び前記送信ウェイトベクトルを適切に算出し得る受信レベルの範囲である最適レベル範囲内に、前記第１最大受信レベルを調整する最大受信レベル調整部と、前記第１最大受信レベルから前記最適レベル範囲内への調整の度合いに応じて、前記第１最大受信レベル以外の他の受信レベルを調整する他受信レベル調整部とを備えることを特徴とする。
【００１５】
かかる特徴によれば、受信アンテナに対応する受信レベルのそれぞれの中に最大受信レベルが存在していても、送受信アンテナに対応する受信レベルのいずれかを優先的に最適レベル範囲内に調整する。
【００１６】
これにより、受信ウェイトベクトル及び送信ウェイトベクトルの双方の算出に用いられる「送受信アンテナ」に対応する受信レベルを適切に調整することができるため、無線基地局は、受信ウェイトベクトルのみならずに送信ウェイトベクトルも適切に算出することができる。
【００１７】
本発明の第２の特徴は、前記受信アンテナのそれぞれが受信した信号の受信レベルのうち、最も大きい受信レベルを第２最大受信レベルとして選択する第２選択部を備え、前記最適レベル範囲は、前記受信ウェイトベクトル及び前記送信ウェイトベクトルを最も適切に算出し得る受信レベルを示す最適レベルを含んでおり、前記最大受信レベル調整部は、前記第１最大受信レベルを前記最適レベル範囲内で変化させ、前記他受信レベル調整部は、前記第１最大受信レベルの変化の度合いに応じて、前記第２最大受信レベルを前記最適レベルに近づけることを要旨とする。
【発明の効果】
【００１８】
本発明の特徴によれば、送受信アンテナ及び受信アンテナを備える無線基地局において、受信ウェイトベクトルのみならずに送信ウェイトベクトルも適切に算出することができる。
【発明を実施するための最良の形態】
【００１９】
（無線基地局の構成）
本実施形態における無線基地局について図面を参照しながら説明する。図１は、本実施形態に係る無線基地局１００及び端末装置２００−１〜２００−ｎを示す図である。
【００２０】
図１に示すように、無線基地局１００は、アダプティブアレイ処理により端末装置２００−１〜２００−ｎのうちのいずれかの端末装置と信号の送受信を実行する。
【００２１】
図２は、本実施形態に係る無線基地局１００の内部構成図である。図２に示すように、無線基地局１００は、送受信系統１１１〜１１４と、受信系統１１５〜１１８と、アダプティブアレイ処理部１２０と、調整部１３０と、復調部１４０と、制御部１５０と、変調部１６０とを備えている。
【００２２】
送受信系統１１１は、送受信アンテナ＃１と、スイッチ１１１ａと、送信部１１１ｂと、受信部１１１ｃとを備えている。送受信アンテナ＃１は、信号の送信及び受信に用いられるアレイアンテナである。
【００２３】
スイッチ１１１ａは、信号の送信時には送受信アンテナ＃１と送信部１１１ｂとを接続する。また、スイッチ１１１ａは、信号の受信時には送受信アンテナ＃１と受信部１１１ｃとを接続する。
【００２４】
送信部１１１ｂは、所定周波数の信号を生成し、送受信アンテナ＃１を介して送信する。受信部１１１ｃは、端末装置から、送受信アンテナ＃１を介して所定周波数の信号を受信する。なお、送受信系統１１２〜１１４は、送受信系統１１１の構成と同様である。
【００２５】
受信系統１１５は、受信アンテナ＃５と、受信部１１５ａとを備えている。受信アンテナ＃５は、信号の受信のみに用いられるアレイアンテナである。受信部１１５ａは、送受信系統１１１に備えられた受信部１１１ｃと同様である。なお、受信系統１１６〜１１８は、受信系統１１５の構成と同様である。
【００２６】
なお、本実施形態では、送受信アンテナ＃１〜＃４及び受信アンテナ＃５〜＃８を用いて説明するが、これらの数に限定されないのは勿論のことである。
【００２７】
アダプティブアレイ処理部１２０は、アダプティブアレイ処理を実行する。本実施形態では、送受信アンテナ＃１〜＃４及び受信アンテナ＃５〜＃８が受信した信号の受信レベルを、後述する調整部１３０が調整した後に、アダプティブアレイ処理部１２０は、調整された受信レベルを用いてアダプティブアレイ処理を実行している。
【００２８】
アダプティブアレイ処理は、受信処理と送信処理とを有している。受信処理は、「送受信アンテナ＃１〜＃４及び受信アンテナ＃５〜＃８」のそれぞれが受信した信号を用いて、受信ウェイトベクトルを算出する処理である。本実施形態に係る受信ウェイトベクトルは、端末装置が送信した信号を受信する「送受信アンテナ＃１〜＃４及び受信アンテナ＃５〜＃８」の指向性の制御に用いられる。
【００２９】
送信処理は、「送受信アンテナ＃１〜＃４」のそれぞれが受信した信号を用いて、送信ウェイトベクトルを算出する処理である。本実施形態に係る送信ウェイトベクトルは、端末装置に向けて信号を送信する「送受信アンテナ＃１〜＃４」の指向性の制御に用いられる。
【００３０】
なお、アダプティブアレイ処理により指向性を制御する技術は周知の技術であり、例えば菊間信良著の「アレイアンテナによる適応信号処理」（科学技術出版）などに詳しく記載されている。このため、アダプティブアレイ処理の詳細な説明は省略する。
【００３１】
調整部１３０は、受信レベル測定部１３０ａと、第１選択部１３０ｂと、第２選択部１３０ｃと、受信レベル調整部１３０ｄとを備えている。
【００３２】
受信レベル測定部１３０ａは、送受信アンテナ＃１〜＃４及び受信アンテナ＃５〜＃８のそれぞれが受信した信号の受信レベルを測定する。
【００３３】
第１選択部１３０ｂは、送受信アンテナ＃１〜＃４のそれぞれが受信した信号の受信レベルの中から、最も大きい受信レベルを第１最大受信レベルとして選択する。
【００３４】
第２選択部１３０ｃは、受信アンテナ＃５〜＃８のそれぞれが受信した信号の受信レベルのうち、最も大きい受信レベルを第２最大受信レベルとして選択する。
【００３５】
受信レベル調整部１３０ｄは、受信ウェイトベクトル及び送信ウェイトベクトルを適切に算出し得る受信レベルの範囲である最適レベル範囲内に、第１最大受信レベルを調整する。
【００３６】
最適レベル範囲には、最適レベルが含まれている。最適レベルは、受信ウェイトベクトル及び送信ウェイトベクトルを“最も”適切に算出し得る受信レベルである。なお、最適レベル範囲及び最適レベルは、予め設定されてもよいし、受信ウェイトベクトル及び送信ウェイトベクトルの算出結果に応じて適宜変更されてもよい。
【００３７】
また、受信レベル調整部１３０ｄは、第１最大受信レベルから最適レベル範囲内への調整の度合いに応じて、第１最大受信レベル以外の他の受信レベルを調整する。
【００３８】
さらに、受信レベル調整部１３０ｄは、第１受信レベルを最適レベル範囲内で変化させることにより、第２最大受信レベルを最適レベルに近づける。
【００３９】
なお、受信レベル調整部１３０ｄは、最大受信レベル調整部及び他受信レベル調整部を構成する。
【００４０】
復調部１４０は、アダプティブアレイ処理部１２０により抽出された信号を復調する。制御部１５０は、復調された信号（ベースバンド信号）に対応する処理を実行する。制御部１５０は、信号（ベースバンド信号）を変調部１６０に出力する。変調部１６０は、制御部１５０から出力された信号を変調する。
【００４１】
ここで、図３及び図４を参照しながら、無線基地局において動作する従来の受信レベル調整方法を簡単に説明する。以下では、送受信アンテナ＃１〜＃４及び受信アンテナ＃５〜＃８のそれぞれが受信した信号の受信レベルは、受信レベル＃１〜＃８に対応している。
【００４２】
図３に示すように、従来の受信レベル調整方法では、先ず受信レベル＃１〜＃８のそれぞれの中から、最も大きい受信レベル＃１が最大受信レベルとして選択される。そして、受信レベル＃１が最適レベルに調整される。受信レベル＃１以外の受信レベル＃２〜８は、受信レベル＃１の調整分Δｘ１に応じて調整される（矢印参照）。
【００４３】
これにより、送受信アンテナ＃１〜＃４のうちの送受信アンテナ＃１に対応する受信レベル＃１が最適レベルに達している。このため、受信ウェイトベクトル及び送信ウェイトベクトルの双方の算出に用いられる受信レベル＃１〜＃４が適切に調整されるため、受信ウェイトベクトルのみならずに送信ウェイトベクトルも適切に算出される。
【００４４】
一方、図４では、受信アンテナ＃５〜＃８に対応する受信レベル＃５〜＃８の中に、最大受信レベルが存在しているため、従来の受信レベル調整方法では、以下に示すように送信ウェイトベクトルが適切に算出されない場合がある。
【００４５】
図４に示すように、先ず受信レベル＃１〜＃８のそれぞれの中から、最も大きい受信レベル＃７が最大受信レベルとして選択される。そして、受信レベル＃７が最適レベルに調整される。受信レベル＃７以外の受信レベルは、受信レベル＃７の調整分Δｘ２に応じて調整される（矢印参照）。
【００４６】
この場合には、受信レベル＃７が最適レベルに達しているものの、送受信アンテナ＃１〜＃４に対応する受信レベル＃１〜＃４のいずれもが最適レベルから大きくずれている。このため、調整された受信レベル＃１〜＃８が用いられることにより受信ウェイトベクトルが適切に算出されるものの、受信レベル＃１〜＃４のいずれも最適レベルから大きくずれているため、送信ウェイトベクトルが適切に算出されない。
【００４７】
そこで、本実施形態では、無線基地局１００は、受信アンテナ＃５〜＃８に対応する受信レベル＃５〜＃８の中に最大受信レベルが存在していても、送受信アンテナ＃１〜＃４に対応する受信レベル＃１〜＃４のいずれかを優先的に最適レベル範囲内に調整する。
【００４８】
これにより、受信ウェイトベクトル及び送信ウェイトベクトルの双方の算出に用いられる受信レベル＃１〜＃４（送受信アンテナ＃１〜＃４）を適切に調整することができるため、無線基地局１００は、受信ウェイトベクトルのみならずに送信ウェイトベクトルも適切に算出することができる。以下では、本実施形態に係る受信レベル調整方法について詳細に説明する。
【００４９】
（無線基地局の動作）
次に、無線基地局において動作する受信レベル調整方法について図面を参照しながら説明する。図５は、本実施形態に係る受信レベル調整方法のフロー図である。図６は、本実施形態に係る送受信アンテナ＃１〜＃４に対応する受信レベル＃１〜＃４、及び受信アンテナ＃５〜＃８に対応する受信レベル＃５〜＃８を示す図である。
【００５０】
なお、Δｘ３は、最適レベル範囲maxと最適レベル範囲mimとの間の大きさを示している。受信レベル＃１〜＃４のうちの最も大きい第１最大受信レベルが調整されることにより、他の受信レベルは、最大でΔｘ３分調整される（図６の矢印参照）。
【００５１】
図５に示すように、Ｓ１０１において、無線基地局１００は、送受信アンテナ＃１〜＃４及び受信アンテナ＃５〜＃８のそれぞれが受信した信号の受信レベル＃１〜＃８を測定する。
【００５２】
Ｓ１０３において、無線基地局１００は、受信レベル＃１〜＃４の中から、最も大きい受信レベルを第１最大受信レベルとして選択する。
【００５３】
Ｓ１０５において、無線基地局１００は、受信レベル＃５〜＃８の中から、最も大きい受信レベルを第２最大受信レベルとして選択する。
【００５４】
Ｓ１０７において、無線基地局１００は、第１最大受信レベルが第２最大受信レベル以上であるか否か判定する。また、無線基地局１００は、第１最大受信レベルが第２最大受信レベル以上である場合にはＳ１０９の処理に移り、第１最大受信レベルが第２最大受信レベル以上でない場合にはＳ１１１の処理に移る。
【００５５】
Ｓ１０９において、無線基地局１００は、第１最大受信レベル調整処理を実行する。
【００５６】
Ｓ１１１において、無線基地局１００は、第２最大受信レベル調整処理を実行する。
【００５７】
ここで、第１最大受信レベル調整処理及び第２最大受信レベル調整処理では、共に、第１最大受信レベルが最適レベル範囲内（最適レベル範囲min−最適レベル範囲max）に調整される点で共通する。しかしながら、両者は、互いに異なる調整方法を採用している。
【００５８】
すなわち、第１最大受信レベル調整処理では、第１最大受信レベルが最適レベル範囲内で増減されることにより、第１最大受信レベル以外の少なくとも第２最大受信レベルが最適レベルに近づけられる。一方、第２最大受信レベル調整処理では、第２最大受信レベルが最適レベル範囲内で増減されることにより、第２最大受信レベル以外の少なくとも第１最大受信レベルが最適レベルに近づけられる。
【００５９】
以下では、第１最大受信レベル調整処理及び第２最大受信レベル調整処理を順に説明する。
【００６０】
図７は、上記Ｓ１０９の第１最大受信レベル調整処理のフロー図である。図７に示すように、Ｓ１０９−１において、無線基地局１００は、第１最大受信レベルが最適レベル範囲maxよりも小さいか否か判定する。また、無線基地局１００は、第１最大受信レベルが最適レベル範囲maxよりも小さい場合にはＳ１０９−３の処理に移り、第１最大受信レベルが最適レベル範囲maxよりも小さくない場合には本処理を終了する。
【００６１】
Ｓ１０９−３において、無線基地局１００は、第２最大受信レベルを所定レベル分だけ最適レベル範囲minに近づける。
【００６２】
Ｓ１０９−５において、無線基地局１００は、第２最大受信レベルの増減分に応じて、第２最大受信レベル以外の全ての受信レベルを増減する。
【００６３】
Ｓ１０９−７において、無線基地局１００は、第１最大受信レベルが最適レベル範囲maxよりも小さいか否か判定する。また、無線基地局１００は、第１最大受信レベルが最適レベル範囲maxよりも小さい場合にはＳ１０９−９の処理に移り、第１最大受信レベルが最適レベル範囲maxよりも小さくない場合には本処理を終了する。
【００６４】
Ｓ１０９−９において、無線基地局１００は、第２最大受信レベルが最適レベル範囲minよりも小さいか否か判定する。また、無線基地局１００は、第２最大受信レベルが最適レベル範囲minよりも小さい場合にはＳ１０９−３からの処理を繰り返し、第２最大受信レベルが最適レベル範囲minよりも小さくない場合には本処理を終了する。
【００６５】
図８は、上記Ｓ１１１の第２最大受信レベル調整処理のフロー図である。図８に示すように、Ｓ１１１−１において、無線基地局１００は、第２最大受信レベルが最適レベル範囲maxよりも小さいか否か判定する。また、無線基地局１００は、第２最大受信レベルが最適レベル範囲maxよりも小さい場合にはＳ１１１−３の処理に移り、第２最大受信レベルが最適レベル範囲maxよりも小さくない場合には本処理を終了する。
【００６６】
Ｓ１１１−３において、無線基地局１００は、第２最大受信レベルを所定レベル分だけ最適レベル範囲maxに近づける。
【００６７】
Ｓ１１１−５において、無線基地局１００は、第２最大受信レベルの増減分に応じて、第２最大受信レベル以外の全ての受信レベルを増減する。
【００６８】
Ｓ１１１−７において、無線基地局１００は、第１最大受信レベルが最適レベル範囲minよりも小さいか否か判定する。また、無線基地局１００は、第１最大受信レベルが最適レベル範囲minよりも小さい場合にはＳ１１１−９の処理に移り、第１最大受信レベルが最適レベル範囲minよりも小さくない場合には本処理を終了する。
【００６９】
Ｓ１１１−９において、無線基地局１００は、第２最大受信レベルが最適レベル範囲maxよりも小さいか否か判定する。また、無線基地局１００は、第２最大受信レベルが最適レベル範囲maxよりも小さい場合にはＳ１１１−３からの処理を繰り返し、第２最大受信レベルが最適レベル範囲maxよりも小さくない場合には本処理を終了する。
【００７０】
かかる特徴によれば、無線基地局１００は、受信アンテナ＃５〜＃８に対応する受信レベル＃５〜＃８の中に最大受信レベルが存在していても、送受信アンテナ＃１〜＃４に対応する受信レベル＃１〜＃４のいずれかを優先的に最適レベル範囲内に調整する。
【００７１】
これにより、受信ウェイトベクトル及び送信ウェイトベクトルの双方の算出に用いられる受信レベル＃１〜＃４（送受信アンテナ＃１〜＃４）を適切に調整することができるため、無線基地局１００は、受信ウェイトベクトルのみならずに送信ウェイトベクトルも適切に算出することができる。
【００７２】
特に、本実施形態では、無線基地局１００は、送受信アンテナ＃１〜＃４に対応する受信レベル＃１〜＃４のいずれかを最適レベル範囲内に調整することに伴い、受信アンテナ＃５〜＃８に対応する受信レベル＃５〜＃８のいずれかを最適レベルに近づけている（図７及び図８参照）。
【００７３】
これにより、無線基地局１００は、全体の受信レベルをバランス良く最適レベルに近づけることができるため、受信ウェイトベクトル及び送信ウェイトベクトルの双方をより適切に算出することができる。
【００７４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７５】
例えば、上述した無線基地局１００は、第１最大受信レベル又は第２最大受信レベルの調整分と同じ分だけ他の受信レベルを調整してもよいし、第１最大受信レベル又は第２最大受信レベルの調整分の所定割合（例えば、８０％）分だけ他の受信レベルを調整してもよい。
【００７６】
また、上述した調整部１３０及びアダプティブアレイ処理部１２０の機能は、コンピューターや通信装置において実行可能なプログラム（受信レベル調整プログラム）としても提供することができる。
【００７７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７８】
【図１】本実施形態に係る無線基地局及び端末装置を示す図である。
【図２】本実施形態に係る無線基地局の内部構成図である。
【図３】本実施形態に係るアンテナに対応する受信レベルを示す図である。
【図４】本実施形態に係るアンテナに対応する受信レベルを示す図である。
【図５】本実施形態に係る受信レベル調整方法のフロー図である。
【図６】本実施形態に係るアンテナに対応する受信レベルを示す図である。
【図７】本実施形態に係る第１最大受信レベル調整処理のフロー図である。
【図８】本実施形態に係る第２最大受信レベル調整処理のフロー図である。
【符号の説明】
【００７９】
１００…無線基地局、１１１〜１１４…送受信系統、１１５〜１１８…受信系統、１２０…アダプティブアレイ処理部、１３０…調整部、１３０ａ…受信レベル測定部、１３０ｂ…第１選択部、１３０ｃ…第２選択部、１３０ｄ…受信レベル調整部、１４０…復調部、１５０…制御部、１６０…変調部、２００…端末装置
【図１】
2007251377.tif 000003
【図２】
2007251377.tif 000004
【図３】
2007251377.tif 000005
【図４】
2007251377.tif 000006
【図５】
2007251377.tif 000007
【図６】
2007251377.tif 000008
【図７】
2007251377.tif 000009
【図８】
2007251377.tif 000010